(57)【要約】【課題】茶道で問題なく利用でき、かつ普段着としても利用できる衣服を提供する。【解決手段】茶道用衣服は、内側に第一収納部４１及び前記第一収納部４１よりも大きな第二収納部４２が設けられた本体部１０と、前記本体部１０に設けられる帯部１００と、を有する。前記第一収納部４１の下端は前記帯部１００と略平行に設けられる。【選択図】図１
2020084355.tif 000002
【特許請求の範囲】
【請求項１】
茶道で用いられる衣服であって、
上衣部及び下衣部を有し、前記上衣部の内側に第一収納部及び前記第一収納部よりも大きな第二収納部が設けられた本体部と、
前記本体部に設けられる帯部と、
を備え、
前記第一収納部の下端は前記帯部と略平行に設けられる、茶道用衣服。
【請求項２】
前記本体部は、胴回り全体を覆うように設けられた内側本体部と、前記内側本体部の外方に設けられた外側本体部とを有し、
前記第一収納部は前記外側本体部の内面に設けられ、
前記第二収納部は前記外側本体部の内面と前記内側本体部の外面とによって形成される、請求項１に記載の茶道用衣服。
【請求項３】
前記外側本体部は一方側腰部から他方側襟裳まで直線状に延びる、請求項２に記載の茶道用衣服。
【請求項４】
前記第二収納部は前記本体部の内面に設けられ、
前記第一収納部は前記第二収納部に設けられる、請求項１に記載の茶道用衣服。
【請求項５】
前記帯部は前記本体部の前面に取り付け可能となり、
前記帯部の後面に、茶道用布地を保持するための第一保持部と、扇子を保持するための第二保持部が設けられ、前記帯部と前記本体部との間で前記茶道用布地及び前記扇子が保持可能となる、請求項１乃至４のいずれか１項に記載の茶道用衣服。
【発明の詳細な説明】
【技術分野】
【０００１】
本発明は、茶道で用いられる茶道用衣服に関する。
【背景技術】
【０００２】
従来から茶道を行う際には着物等のような衣服を着て行われている。このような着物に関しては、例えば特許文献１において、従来同様の着物のような着用態様と、新規なデザインの着物のような着用態様と、ドレスのような着用態様と、に変更できるものが提案されている。
【先行技術文献】
【特許文献】
【０００３】
【特許文献１】特許第６１１３３３２号公報
【発明の概要】
【発明が解決しようとする課題】
【０００４】
しかしながら、茶道専用の衣服でありながら、普段着としても利用できるという観点からは何ら提案されていない。
【０００５】
本発明は、茶道で問題なく利用でき、かつ普段着としても利用できる衣服を提供する。
【課題を解決するための手段】
【０００６】
本発明による茶道用衣服は、
茶道で用いられる衣服であって、
上衣部及び下衣部を有し、前記上衣部の内側に第一収納部及び前記第一収納部よりも大きな第二収納部が設けられた本体部と、
前記本体部に設けられる帯部と、
を備え、
前記第一収納部の下端は前記帯部と略平行に設けられてもよい。
【０００７】
本発明による茶道用衣服において、
前記本体部は、胴回り全体を覆うように設けられた内側本体部と、前記内側本体部の外方に設けられた外側本体部とを有し、
前記第一収納部は前記外側本体部の内面に設けられ、
前記第二収納部は前記外側本体部の内面と前記内側本体部の外面とによって形成されてもよい。
【０００８】
本発明による茶道用衣服において、
前記外側本体部は一方側腰部から他方側襟裳まで直線状に延びてもよい。
【０００９】
本発明による茶道用衣服において、
前記第二収納部は前記本体部の内面に設けられ、
前記第一収納部は前記第二収納部に設けられてもよい。
【００１０】
本発明による茶道用衣服において、
前記帯部は前記本体部の前面に取り付け可能となり、
前記帯部の後面に、茶道用布地を保持するための第一保持部と、扇子を保持するための第二保持部が設けられ、前記帯部と前記本体部との間で前記茶道用布地及び前記扇子が保持可能となってもよい。
【発明の効果】
【００１１】
本発明によれば、茶道で問題なく利用でき、かつ普段着としても利用できる衣服が提供される。
【図面の簡単な説明】
【００１２】
【図１】図１は、本発明の第１の実施の形態による茶道用衣服を正面から見た写真である。
【図２】図２（ａ）は本発明の第１の実施の形態による茶道用衣服を正面から見た図であり、図２（ｂ）は本発明の第１の実施の形態による茶道用衣服を背面から見た図である。
【図３】図３は、本発明の第１の実施の形態による茶道用衣服を斜めから見た写真である。
【図４】図４（ａ）は本発明の第１の実施の形態で用いられうる第一収納部及び第二収納部を示した概略図であり、図４（ｂ）は本発明の第１の実施の形態で用いられうる第一収納部及び第二収納部のうち第一収納部に茶道用道具が収納された際の態様を示した図である。
【図５】図５は本発明の第１の実施の形態で用いられうる第一収納部の図３とは異なる態様を示した図である。
【図６】図６（ａ）は本発明の第１の実施の形態で用いられうる内側本体部を示した概略図であり、図６（ｂ）は図６（ａ）で示された内側本体部の外面に外側本体部が設けられた概略図である。
【図７】図７（ａ）は本発明の第１の実施の形態で用いられうる帯部を示した概略図であり、図７（ｂ）は図７（ａ）で示した帯部を取り付け部分に取り付けた際の態様を示した概略図である。
【図８】図８（ａ）は本発明の第２の実施の形態による茶道用衣服を正面から見た図であり、図８（ｂ）は本発明の第２の実施の形態による茶道用衣服を背面から見た図である。
【図９】図９は本発明の第２の実施の形態による茶道用衣服の前面側を開いた図である。
【図１０】図１０は本発明の第２の実施の形態で用いられうる第一収納部及び第二収納部を示した図である。
【図１１】図１１は本発明の第３の実施の形態で用いられうる帯部を前面（正面）から見た写真である。
【図１２】図１２は本発明の第３の実施の形態で用いられうる帯部を後面（背面）から見た写真である。
【図１３】図１３は本発明の第３の実施の形態で用いられうる帯部を本体部の前面に取り付けた態様を示した写真である。
【発明を実施するための形態】
【００１３】
第１の実施の形態
本実施の形態による衣服は、茶道で用いられる茶道用衣服である。図１乃至図３に示すように、茶道用衣服は、上衣部１１及び下衣部１２を有する本体部１０と、本体部１０に設けられる帯部１００と、を有してもよい。図４に示すように、上衣部１１の内側には第一収納部４１と、第一収納部４１よりも大きな第二収納部４２が設けられてもよい。本体部１０はストレッチ素材から構成されてもよい。図４（ａ）に示すように、第一収納部４１の下端４１ａは帯部１００と略平行に設けられてもよい。第一収納部４１の上端４１ｂも帯部１００と略平行に設けられてもよい。また、図４（ａ）に示すように、第一収納部４１の下端４１ａと上端４１ｂの両方が帯部１００と略平行に設けられてもよい。また、図５に示すように、第一収納部４１の下端４１ａは帯部１００と略平行に設けられるが、第一収納部４１の上端４１ｂは帯部１００と略平行に設けられなくてもよい。
【００１４】
本実施の形態において「帯部１００と略平行」とは、本体部１０に取り付けられた帯部１００の幅方向端部の下端を直線で結んだ際、当該直線に対して５度の範囲内に収まっていることを意味している。後述する取り付け部分９０（図７参照）が設けられている場合には、（言い換えるならば）取り付け部分９０と帯部１００との下方側の接触部分を直線で結んだ際、当該直線に対して５度の範囲内に収まっていることを意味している。第一収納部４１の下端と帯部１００の幅方向端部を結んだ直線とは３度の範囲内に収まってもよいし、１度の範囲内に収まってもよい。
【００１５】
図４（ａ）に示すように、第二収納部４２の下端４２ａは帯部１００と略平行に設けられてもよい。なお、図４（ａ）では第二収納部４２の下端４２ａと帯部１００の上端とが重複して示されている。第一収納部４１の下端４１ａと第二収納部４２の下端４２ａの両方が帯部１００と略平行に設けられ、これら第一収納部４１の下端４１ａと第二収納部４２の下端４２ａは略平行、つまり５度の範囲内で沿って延在して設けられてもよい。
【００１６】
図１乃至図３に示すように、本体部１０の上衣部１１は、内側本体部１５と、内側本体部１５の外方に設けられた外側本体部１６とを有してもよい。図４に示すように、第一収納部４１は外側本体部１６の内面に設けられ、第二収納部４２は外側本体部１６の内面と内側本体部１５の外面とによって形成されてもよい。第一収納部４１と外側本体部１６との間に第一収納部４１よりも大きな第三収納部（図視せず）が設けられてもよい（第２の実施の形態で説明する第二収納部４２'参照）。
【００１７】
図１及び図２に示すように、外側本体部１６は一方側腰部から他方側襟裳まで直線状に延びてもよい。襟元６０は略円弧形状となりつつ、第二収納部４２は腰部３０から襟元６０まで直線状に延び、三角形状を形成してもよい。本実施の形態において一方側腰部とは左右方向の中心よりも一方側（例えば着用者の身体の右側）であって人体の腰が位置する部分を意味し、他方側襟元とは左右方向の中心よりも他方側（例えば着用者の身体の左側）であって人体の鎖骨が位置する部分を意味する。図２（ｂ）で示すように、本体部１０の背面にはファスナー部６２とファスナー部６２を通過するホック部６１とが設けられてもよい。
【００１８】
図６（ａ）に示すように、内側本体部１５は通常の衣装となっており、胴回り全体を覆うようになってもよい。そして、図６（ｂ）に示すように、内側本体部１５の外側に外側本体部１６が設けられるようにしてもよい。
【００１９】
図２（ａ）に示すように、帯部１００は本体部１０の前面に取り付け可能となってもよい。図１及び図３に示すように、帯部１００と本体部１０との間で帛紗等の茶道用布地からなる茶道用道具２００が保持可能となってもよい。図２に示すように、帯部１００は本体部１０の前面にだけ設けられ後面（背面）には設けられないようにしてもよい。
【００２０】
図７（ｂ）に示すように、本体部１０には帯部１００を止めるための例えば紐状の取り付け部分９０が設けられてもよい。図７（ａ）に示すように、帯部１００の両端部にはボタン（ボタン雄部）１０１とボタン穴（ボタン雌部）１０２が設けられてもよい。図７に示す折り返し線で端部を折り返すことで、ボタン１０１がボタン穴１０２に挿入されて帯部１００が取り付け部分９０を介して本体部１０に取り付けられるようになってもよい。
【００２１】
《効果》
次に、上述した構成からなる本実施の形態による効果であって、未だ説明していないものを中心に説明する。なお、「効果」で述べるあらゆる構成は、本実施の形態の構成として利用することができる。
【００２２】
例えば図１乃至図３に示す本実施の形態による衣服によれば、茶道の稽古がある日でも特段着替えることもなく、当該衣服を着て街中で買い物等をすることができることができる点で有益である。従来であれば、茶道の稽古がある日には、着物を着る必要があったり、着物を着ないまでも茶道用の衣装を持参する必要があったりしていたが、図１乃至図３に示すような本実施の形態の茶道用衣服であればそのような必要もなくなる点で有益である。
【００２３】
本体部１０が、内側に設けられた第一収納部４１と、第一収納部４１よりも大きな第二収納部４２とを有する態様を採用した場合には、第一収納部４１では例えば懐紙、帛紗、古帛紗等を収納し、第一収納部４１よりも大きな第二収納部４２では例えば紙釜敷を収納することができる。第一収納部４１は懐紙、帛紗及び古帛紗のいずれか１つ以上又はこれら全部を収納するための専用収納部となってもよい。第二収納部４２は紙釜敷を収納するための専用収納部となってもよい。
【００２４】
なお、帛紗とは窯の蓋を取る時等に利用されるものであり、懐紙はお茶菓子を取って置くため等に利用されるものであり、古帛紗は抹茶を運ぶ際に茶碗の下に敷いたりするため等に利用されるものであり、これら３点はセットとなっているものである。帛紗に関しては、お点前の際に腰に付けるのが習わしとなっており、本実施の形態の態様ではお点前の際に帯部１００で挟まれることが想定されている（図１及び図３参照）。紙釜敷は炭を交換する際に窯の下に敷くものであり、かなり大きなものとなっていることから、図４に示すように、内側本体部１５と外側本体部１６との間で第二収納部４２が形成されることは非常に有益である。
【００２５】
第一収納部４１の下端４１ａが帯部１００と略平行に設けられる態様を採用した場合には、第一収納部４１で懐紙、帛紗、古帛紗等の茶道用道具２００を帯部１００に対して略平行に保持し、かつ当該茶道用道具２００を帯部１００に対して略平行な状態で視認させることができる。茶道においては、懐紙、帛紗、古帛紗等を胸元から見せる習らわしとなっているところ、本態様によれば、懐紙、帛紗、古帛紗等の茶道用道具２００を帯部１００に対して略平行で視認させることができ、茶道として相応しい見た目にすることができる（図１参照）。
【００２６】
図４に示すように、第一収納部４１の下端４１ａと第二収納部４２の下端４２ａの両方が帯部１００と略平行に設けられる態様を採用した場合には、第一収納部４１で懐紙、帛紗、古帛紗等の茶道用道具２００を帯部１００に対して略平行に保持し、かつ当該茶道用道具２００を帯部１００に対して略平行な状態で視認させることができ、さらに第二収納部４２で紙釜敷等の茶道用道具２００を帯部１００に対して略平行で保持することができる。
【００２７】
図１及び図２に示すように、外側本体部１６が一方側腰部から他方側襟裳まで直線状に延びる態様を採用した場合には、前面において直線形状を視認させることができ、茶道として相応しい見た目にすることができる。特に第一収納部４１の下端が帯部１００と略平行に設けられ、かつ第二収納部４２が一方側腰部から他方側襟裳まで直線状に延びる態様を採用した場合には、前面側において帯部１００に対して略平行な状態で視認される懐紙、帛紗及び古帛紗等の茶道用道具２００を、直線形状の外側本体部１６で区切ることができ、普段着のような外見を保ちながらも厳格な雰囲気をもたらすことができる。
【００２８】
図６（ａ）（ｂ）に示すように、内側本体部１５は通常の衣装となっており、内側本体部１５の外側に外側本体部１６が設けられる態様を採用した場合には、普段着として利用しても胸元が開けることがなく、使い勝手を良くすることができる。また、このように通常の衣装となっている内側本体部１５の外側に外側本体部１６を設けることで厚みを持たせることができ、茶道を行う場では着物に準じた重みを持たせることができる。
【００２９】
図５に示すように、第一収納部４１の下端４１ａは帯部１００と略平行に設けられるが、第一収納部４１の上端４１ｂは帯部１００と略平行に設けられておらず、第一収納部４１の上端４１ｂが開口部に向かうにしたがって上方に向かう態様を採用した場合には、懐紙、帛紗、古帛紗等を第一収納部４１に収納・固定しやすくするとともに、第一収納部４１から飛び出て視認される懐紙、帛紗、古帛紗等を帯部１００に対して略平行な状態で保持することができる。
【００３０】
帯部１００が本体部１０の前面に取り付け可能となり、帯部１００と本体部１０との間で茶道用布地が保持可能となる態様を採用した場合には、帯部１００と本体部１０との間で帛紗等の茶道用布地からなる茶道用道具２００を保持することができる。
【００３１】
従前の茶道用衣服では帯が用いられていたが、前述したように、帯部１００が本体部１０の前面にだけ設けられ後面（背面）には設けられない態様を採用することもできる。この場合には、ワンピースのような見た目を実現できる点でも有益である。
【００３２】
本実施の形態では、茶道用衣服と茶道用道具２００とを組み合わせた茶道用道具付き茶道用衣服も提供される。この態様では、茶道用衣服と茶道用道具２００とが組み合わされることで、茶道用道具付き茶道用衣服が製造されることになる。
【００３３】
第２の実施の形態
次に、本発明の第２の実施の形態について説明する。
【００３４】
本実施の形態では、図８及び図９に示すように本体部１０の前面が開くようになっており、本体部の第一紐部８１と第二紐部８２によって本体部１０の前面が閉じられるようになっている。また、図１０に示すように、本実施の形態の第二収納部４２'が本体部１０の内面（図１０の紙面おもて面）に設けられ、第二収納部４２'よりも大きさの小さな第一収納部４１が第二収納部４２'よりも内面側（図１０における第一収納部４１の紙面おもて面側）に設けられている。その他の構成については、第１の実施の形態と同様であり、第１の実施の形態で説明したあらゆる態様を採用することができる。第１の実施の形態で説明した部材については同じ符号を用いて説明する。
【００３５】
本実施の形態では、本体部１０の前面が開く態様となっているので、着物と似たような外観を与えることができる。但し、茶道用衣服として機能するだけではなく普段着としても機能するという観点からすると第１の実施の形態で説明した態様の方が格段に有益である。第１の実施の形態で説明した態様では、茶道の稽古がある日でも特段着替えることもなく、第１の実施の形態による衣服を着て街中で買い物等をすることができるためである。
【００３６】
第二収納部４２'が本体部１０の内面に設けられ、第二収納部４２'よりも大きさの小さな第一収納部４１が第二収納部４２'の内面側に設けられている態様を採用した場合には、第１の実施の形態のような態様を採用しない場合であっても、大きさの大きな第二収納部４２'で紙釜敷等を収納しつつ、第一収納部４１で懐紙、帛紗、古帛紗等を収納できる点で有益である。
【００３７】
第３の実施の形態
次に、本発明の第３の実施の形態について説明する。
【００３８】
本実施の形態では、帯部１００が本体部１０の前面に取り付け可能となり、帯部１００と本体部１０との間で茶道用布地２００ａ及び扇子２００ｂを含む茶道用道具２００を保持することができるようになっている。本実施の形態では、図１２に示すように、帯部１００の後面に、茶道用布地２００ａを端部で保持するための第一保持部１６０と、扇子２００ｂを保持するための第二保持部１７０が設けられ、帯部１００と本体部１０との間で茶道用布地２００ａ及び扇子２００ｂが保持可能となっている。なお、本実施の形態において茶道用布地２００ａの端部とは、（図１２では三角形状の斜辺である）全体長さを５等分したときの端部にある領域を意味している。その他の構成については、第１の実施の形態又は第２の実施の形態と同様であり、第１の実施の形態及び第２の実施の形態で説明したあらゆる態様を採用することができる。第１の実施の形態及び第２の実施の形態で説明した部材については同じ符号を用いて説明する。
【００３９】
図１２に示すような第一保持部１６０を設けることで、第１の実施の形態の態様と比較して、茶道の作法時に帛紗等の茶道用布地２００ａをより確実に保持することができる。また、第二保持部１７０を設けることで、第１の実施の形態の態様では保持することが難しかった扇子２００ｂを確実に保持できる。
【００４０】
また、帯部１００が本体部１０に対して取り外し自在となっていることから、図１２のように第一保持部１６０で茶道用布地２００ａを保持させ（この状態を前面から見た写真が図１１になる。）、第二保持部１７０で扇子２００ｂを保持させることを容易にすることができる。そして、このように保持した状態の帯部１００を図１３に示すように取り付けることができるので、これら茶道用布地２００ａ及び扇子２００ｂを容易に保持することができる。
【００４１】
正面から見た場合に、第二保持部１７０が第一保持部１６０よりも周縁外方に設けられてもよい（図１１及び図１２参照）。このような態様を採用した場合には、図１３で示すように、茶道用布地２００ａを内側に位置づけ、扇子２００ｂを外側に位置付けることができ、茶道の作法時に相応しい態様とすることができる。なお、第一保持部１６０の幅は第二保持部１７０の幅の５倍〜１０倍の大きさとなってもよい。また第一保持部１６０及び第二保持部１７０は弾性を有し、弾性力を利用して茶道用布地２００ａ及び扇子２００ｂを保持できるようになってもよい。
【００４２】
上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。出願当初の特許請求の範囲の記載は本件特許明細書の範囲内で適宜変更することもでき、その範囲を拡張することもできる。
【符号の説明】
【００４３】
１０      本体部
１５      内側本体部
１６      外側本体部
４１      第一収納部
４２      第二収納部
４２ａ    第二収納部
１００    帯部
【図１】
2020084355.tif 000003
【図２】
2020084355.tif 000004
【図３】
2020084355.tif 000005
【図４】
2020084355.tif 000006
【図５】
2020084355.tif 000007
【図６】
2020084355.tif 000008
【図７】
2020084355.tif 000009
【図８】
2020084355.tif 000010
【図９】
2020084355.tif 000011
【図１０】
2020084355.tif 000012
【図１１】
2020084355.tif 000013
【図１２】
2020084355.tif 000014
【図１３】
2020084355.tif 000015
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
茶道で用いられる衣服であって、
上衣部及び下衣部を有し、前記上衣部の内側に第一収納部及び前記第一収納部よりも大きな第二収納部が設けられた本体部と、
前記本体部に設けられる帯部と、
を備え、
前記第一収納部の下端は前記帯部と略平行に設けられ、
前記本体部は、胴回り全体を覆うように設けられた内側本体部と、前記内側本体部の外方に設けられた外側本体部とを有し、
前記第一収納部は前記外側本体部の内面に設けられ、
前記第二収納部は前記外側本体部の内面と前記内側本体部の外面とによって形成され、
前記第二収納部の下端は前記帯部と略平行に設けられる、茶道用衣服。
【請求項２】
前記外側本体部は一方側腰部から他方側襟裳まで直線状に延びる、請求項１に記載の茶道用衣服。
【請求項３】
前記帯部は前記本体部の前面に取り付け可能となり、
前記帯部の後面に、茶道用布地を保持するための第一保持部と、扇子を保持するための第二保持部が設けられ、前記帯部と前記本体部との間で前記茶道用布地及び前記扇子が保持可能となる、請求項１又は２のいずれかに記載の茶道用衣服。
【請求項４】
前記帯部は前記本体部の前面に取り付け可能となり、前記本体部の後面には設けられない、請求項１乃至３のいずれか１項に記載の茶道用衣服。